(57)【要約】【課題】  注目画素を取巻く主・副走査の画素を格納機能から同時に取出して、注目画素に対してデータ識別できることにより、１画素単位での線画を忠実に認識するデジタル発光素子書込み装置を提供すること。【解決手段】  図５において、注目ラインの副走査３ライン目の画素を順にマトリクス判断していく。主走査５の画素１０１では、マトリクスより縦線と判断できる。ここで２値データから４値のコード化に変換する場合、偶数画素か奇数画素かも判断し、縦パターンの奇数と判断すると画素１０１は、０１ｂコードとなる。さらに画素１０２では、横線の奇数と判断し、１１ｂコードとなり、画素１０３は、０データの奇数で００ｂコード、画素１０４では、１ｄｏｔ孤立点の偶数と判断し、１０ｂコード、画素１０５では、斜め線の偶数と判断し１１ｂコードとなる。注目画素を取巻く主・副の画素を格納機能から同時に取出すことで、１画素単位で忠実に線画を表現する。【選択図】  図５
2007076277.tif 000002
【特許請求の範囲】
【請求項１】
２値の画像データに応じて発光制御される複数個の発光素子が一方向に列設された発光素子アレイと、
当該発光素子アレイの発光光を感光体に結像させる結像部とからなる複数の発光素子アレイユニットと、
１ライン分の画像データを前記発光素子アレイユニット毎に分割して各発光素子アレイ
ユニットに転送して当該発光素子アレイユニットの各発光素子を駆動させて主走査する画
像データ転送制御手段と、を備えた画像書込装置において、
前記複数の発光素子アレイユニットが、前記感光体の軸線方向を主走査方向として副走
査方向に所定量ずれて、主走査方向で所定量重なる状態で千鳥状に配列され、
前記画像データ転送制御手段が、主走査１ライン間に１ライン分の画像データを前記各
発光素子アレイユニット毎に分割し転送して、１ライン間に複数回データ転送制御して点灯時間を可変制御させて各発光素子を駆動させ、且つ複数ライン分の格納機能を備えたことを特徴とするデジタル発光素子書込み装置。
【請求項２】
所定の注目画素を取り巻く主・副走査の画素を前記格納機能から取り出して、注目画素に対してデータ識別を行うことを特徴とする請求項１記載のデジタル発光素子書込み装置。
【請求項３】
前記注目画素を取り巻く主・副走査の画素のマトリクスを操作設定する設定手段をさらに備えたことを特徴とする請求項２記載のデジタル発光素子書込み装置。
【請求項４】
前記２値の画像データを４値のコード化することを特徴とする請求項１、請求項２または請求項３記載のデジタル発光素子書込み装置。
【請求項５】
前記コード化する画素の識別は、決められたパターンを認識することにより決定されることを特徴とする請求項４記載のデジタル発光素子書込み装置。
【請求項６】
決められる主・副走査のパターンは任意に設定可能であることを特徴とする請求項５記載のデジタル発光素子書込み装置。
【請求項７】
コード化した画素は、前記画像データ転送制御手段による１ライン間の数回の読み出し転送によって、回数毎に４値のコード化から２値のデータへ個々に変換させ、発光素子アレイユニットに転送することを特徴とする請求項１から請求項６のいずれか１項に記載のデジタル発光素子書込み装置。
【請求項８】
コピーモード、プリンタモードの出力モードによりコード化した画素の処理を切り替えることを特徴とする請求項７記載のデジタル発光素子書込み装置。
【発明の詳細な説明】
【技術分野】
【０００１】
本発明は、プリンタ、デジタル複写機、複合機等の画像形成装置で用いるＬＥＤアレイ等の発光素子アレイを用いた画像書込装置に関する。
【背景技術】
【０００２】
感光体に光を照射して潜像を書き込む画像書込装置に、レーザー光によるＬＤ走査方式やＬＥＤ発光素子をアレイ状にした発光素子アレイを用いた方式が利用されている。この発光素子アレイ方式では、２値の画像を画像形成装置より出力すると、プロセス条件により、１ドットの印字が横太りの楕円系に印字される。これが、１ドットの格子画像（５ｍｍ間隔の画像）だとより鮮明に現れてきて、縦線が横線よりも太く印字されて縦横比が問題になっていた。
この縦横比の問題を解決するために、ＬＥＤのバランス補正データを利用して制御している方式がある。多値データでの対応としては、ＬＥＤ毎の階調データと複数のＬＥＤからなるブロックの単位で出力バラツキを補正するデータと、ブロックの平均値に対する出力バラツキを補正するデータとを加算し、加算したデータによりＬＥＤのバラツキを抑えている。
２値での方式としては、２値の画像データとＬＥＤ個々の補正データを加算させ階調を忠実に再現する制御があるが、ドットの印字パワー（印字駆動電流制御）を調整しているので、線画の向上ではあるが、縦横線幅の改善には至っていないのが実情であった。
また、ＬＥＤ発光素子アレイによっては、補正データと印字画像データを加算する方式でないものもある。
【特許文献１】特願２００３−４１２０６５
【特許文献２】特願２００５−３６６２０
【発明の開示】
【発明が解決しようとする課題】
【０００３】
特許文献１記載の技術では、点灯回数を数回行って制御しているが、画像データを偶数画素データ転送後、奇数画素データ転送を行う発光素子アレイユニットにおいて一度の画像転送で各２回ずつの点灯としている。
また、特許文献２記載の技術では、データ転送を偶数データ・奇数データをそれぞれ数回（２回ずつ）行い、偶数データでは、２回目のデータ転送時、主走査方向でパターン認識し、１ｄｏｔ孤立点であれば、データを“１”から”０”に処理し、一方、奇数データは、１回目のデ―タで前記処理を行い、点灯時間との制御処理により、縦線幅を細くして、縦横線幅の改善をしている。
しかし、従来の技術では、斜め線の画像に対しての制御については、考慮されていなかった。
【０００４】
そこで、本発明の第１の目的は、画像データ転送制御手段に複数ライン分の格納機能を備えることにより、主・副走査方向の画像パターンを展開することができるデジタル発光素子書込み装置を提供することである。
本発明の第２の目的は、注目画素を取り巻く主・副走査の画素を格納機能から同時に取り出して、注目画素に対してデータ識別できることにより、１画素単位での線画を忠実に認識することができるデジタル発光素子書込み装置を提供することである。
本発明の第３の目的は、注目画素を取り巻く主・副走査の画素のマトリクスは、操作設定を可能にすることにより、データパターンを増減できるデジタル発光素子書込み装置を提供することである。
本発明の第４の目的は、２値のデータを４値のコード化にすることにより、１画素単位のデータを細分化できるデジタル発光素子書込み装置を提供することである。
本発明の第５の目的は、コード化する画素の識別を、決められたパターン認識することにより、１画素単位のデータを細分化できるデジタル発光素子書込み装置を提供することである。
本発明の第６の目的は、決められる主・副走査のパターンは任意に設定可能とすることにより、使用者のニーズにあった細線の強調ができるデジタル発光素子書込み装置を提供することである。
本発明の第７の目的は、コード化した画素を、１ライン間の数回の読み出し転送によって、回数毎に４値のコード化から２値のデータへ個々に変換させることにより、どのパターンでも細線を忠実に再現できるデジタル発光素子書込み装置を提供することである。
本発明の第８の目的は、コピーモード、プリンタモードの出力モードによりコード化した画素の処理を切り替えることにより、画像品質を維持できるデジタル発光素子書込み装置を提供することである。
【課題を解決するための手段】
【０００５】
請求項１記載の発明では、２値の画像データに応じて発光制御される複数個の発光素子が一方向に列設された発光素子アレイと、当該発光素子アレイの発光光を感光体に結像させる結像部とからなる複数の発光素子アレイユニットと、１ライン分の画像データを前記発光素子アレイユニット毎に分割して各発光素子アレイユニットに転送して当該発光素子アレイユニットの各発光素子を駆動させて主走査する画像データ転送制御手段と、を備えた画像書込み装置において、前記複数の発光素子アレイユニットが、前記感光体の軸線方向を主走査方向として副走査方向に所定量ずれて、主走査方向で所定量重なる状態で千鳥状に配列され、前記画像データ転送制御手段が、主走査１ライン間に１ライン分の画像データを前記各発光素子アレイユニット毎に分割し転送して、１ライン間に複数回データ転送制御して点灯時間を可変制御させて各発光素子を駆動させ、且つ複数ライン分の格納機能を備えたことにより、前記第１の目的を達成する。
【０００６】
請求項２記載の発明では、請求項１記載の発明において、所定の注目画素を取り巻く主・副走査の画素を前記格納機能から取り出して、注目画素に対してデータ識別を行うことにより、前記第２の目的を達成する。
請求項３記載の発明では、請求項２記載の発明において、前記注目画素を取り巻く主・副走査の画素のマトリクスを操作設定する設定手段をさらに備えたことにより、前記第３の目的を達成する。
請求項４記載の発明では、請求項１、請求項２または請求項３記載の発明において、前記２値の画像データを４値のコード化することにより、前記第４の目的を達成する。
【０００７】
請求項５記載の発明では、請求項４記載の発明において、前記コード化する画素の識別は、決められたパターンを認識することにより決定されることにより、前記第５の目的を達成する。
請求項６記載の発明では、請求項５記載の発明において、決められる主・副走査のパターンは任意に設定可能であることにより、前記第６の目的を達成する。
【０００８】
請求項７記載の発明では、請求項１から請求項６のいずれか１項に記載の発明において、コード化した画素は、前記画像データ転送制御手段による１ライン間の数回の読み出し転送によって、回数毎に４値のコード化から２値のデータへ個々に変換させ、発光素子アレイユニットに転送することにより、前記第７の目的を達成する。
請求項８記載の発明では、請求項７記載の発明において、コピーモード、プリンタモードの出力モードによりコード化した画素の処理を切り替えることにより、前記第８の目的を達成する。
【発明の効果】
【０００９】
本発明によれば、デジタル発光素子書込み装置において、画像データ転送制御手段に複数ライン分の格納機能を備えることで、主・副走査方向の画像パターンを展開することができ、主・副の画像パターンも制御することで、出力する画像の線幅を改善することができる。
【発明を実施するための最良の形態】
【００１０】
以下、本発明の好適な実施の形態を図１ないし図７を参照して詳細に説明する。
図１は、本実施例に係る複写機の概要を示したブロック図である。この複写機は、原稿を読み取る読取手段としての読取部１００、読み取られた原稿情報を記憶する記憶手段としての画像情報記憶部３００、記憶された情報を転写紙に複写するための書込部５００、また一連のプロセスを実行制御するシステム制御装置３０２、このシステム制御装置にキー入力を行う操作手段としての操作部４００等で構成されている。
【００１１】
次に、図１及び図２を参照して読取部１００の構成を説明する。図２は、本実施例に係る複写機の構成を示した側面図である。
まず、オペレータが原稿を挿入口から挿入すると、原稿は、ローラ１の回転に応じて密着センサ２と白色ローラ３間を搬送される。搬送中の原稿には、密着センサ２に取り付いているＬＥＤにより照射され、その反射光は密着センサ２に結像され、原稿画像情報が読み取られる。
図１のセンサ１０１上に結像した原稿画像は電気信号に変換され、このアナログ信号は、画像増幅回路１０２で増幅される。Ａ／Ｄ（アナログ／デジタル）変換回路１０３は、画像増幅回路１０２で増幅されたアナログ画像信号を画素毎の多値デジタル画像信号に変換する。
【００１２】
そして、変換されたデジタル画像信号は、同期制御回路１０６から出力されるクロックに同期して出力されシェーディング補正回路１０４により、光量ムラ、コンタクトガラスの汚れ、センサの感度ムラ等による歪を補正する。この補正されたデジタル画像情報は、画像処理回路１０５でデジタル記録画像情報に変換された後、画像メモリ部３０１に書き込まれる。
【００１３】
次に、画像メモリ部３０１に書き込まれた画像信号が転写紙に形成するための一連のプロセスを制御しているシステム制御装置３０２と書込部５００の構成について説明する。システム制御装置３０２は、全体制御を行う機能があり、読取制御回路１０７、同期制御回路１０６、画像メモリ部３０１、ＬＥＤ書込制御回路５０２での画像データ転送と駆動制御回路５０４によりスキャナ駆動装置１０８、プリンタ駆動装置５０５を介してモータ等を駆動させ読み取り原稿及び転写紙の搬送を円滑に制御している。
書込部５００では、画像メモリ部３０１より同期信号クロックにより転送された画像信号をＬＥＤ書込制御回路５０２で１画素単位ビット変換し、ＬＰＨ５０３で赤外光に変換出力される。
【００１４】
続いて、図２を参照して記録紙にいたるまでのプロセスを説明する。
帯電装置４は、感光体ドラム５を−１２００Ｖに一様に帯電させるグリッド付きのスコロトロンチャージャと呼ばれるものである。発光素子アレイユニット（ＬＥＤヘッド）６は、ＬＥＤをアレー状に並べ、ＳＬＡ（セルフォックレンズアレー）を介して感光体ドラム５に照射される。発光素子アレイユニット６のＬＥＤヘッドは、図１のＬＰＨ５０３に相当する。
感光体ドラム５にデジタル画像情報に基づいたＬＥＤ光が照射されると、光導電現象で感光体表面の電荷が感光体ドラム５のアースに流れて消滅する。ここで原稿濃度の淡い部分は、ＬＥＤを発光させないようにし、原稿濃度の濃い部分は、ＬＥＤを発光させる。これにより感光体ドラム５のＬＥＤ光非照射部は画像の濃淡に対応した静電潜像が形成される。
【００１５】
この静電潜像を現像ユニット７によって現像する。現像ユニット７内のトナーは、撹拌により負に帯電されておりバイアスは−７００Ｖに印加されているため、ＬＥＤ光照射部分だけにトナーが付着する。
一方転写紙は、３つの給紙台及び手差しから選択し、レジストローラ８で所定のタイミングで感光体ドラム５の下部を通過し、この時に転写チャージャ９によりトナー像を記録紙上に転写させる。記録紙は次に感光体ドラム５より分離チャージャ１０により分離されて搬送タンク１１により搬送されて定着ユニット１２に送られる。そして、そこでトナーが記録紙に定着される。トナーが定着された記録紙は排紙トレイ１４または１３により機外の前後に送られ排紙される。
【００１６】
次に、画像メモリ部３０１から書込部５００への画像信号の流れを説明する。
画像信号の流れは、画像メモリ部３０１から偶数画素（ＥＶＥＮ）、奇数画素（ＯＤＤ）の２値画像データが同時に転送速度１６ＭＨｚでＬＥＤ書込制御回路５０２に送られてくる。２画素パラレルで送られてきた画像信号は、ＬＥＤ書込制御回路５０２内部で一旦、１ラインに合成した後、３分割に割り当て、ＬＥＤヘッド５０３＿１、５０３＿２、５０３＿３へ４画素同時に転送される。
【００１７】
次に、図３を参照してＬＥＤ書込制御回路５０２の各ブロックの説明を行う。
まず、画像データ入力部５１２について説明する。２値画像信号、すなわち偶数画素（ＥＶＥＮ）、奇数画素（ＯＤＤ）及びタイミング信号は、画像メモリ部３０１より低電圧作動信号素子ＬＶＤＳレシーバを使用しパラレルからシリアルに変換され、ＬＥＤ書込制御回路５０２に１６ＭＨｚで送られてくる。このＬＥＤ書込制御回路５０２でもＬＶＤＳレシーバを使用し、シリアル信号からパラレル信号に変換し、ＰＫＤＥ・ＰＫＤＯ・ＣＬＫＡ・ＬＳＹＮＣ＿Ｎ・ＬＧＡＴＥ＿Ｎ・ＦＧＡＴＥＩＰＵ＿Ｎとして、ＩＣ５１０に入力する。
【００１８】
次に、画像データＲＡＭ部１のＳＲＡＭ５５０＿１〜６について説明する。
ＩＣ５１０から２画素単位で出力されたＤＥＯＩ［１：０］データは、ＣＬＫＡに同期しながら１ラインずつＳＲＡＭ１から順に格納される。そして、ＳＲＡＭ１〜３まで３ライン分のデータが格納され、４ライン目をＳＲＡＭ４に転送している間に、他のＳＲＡＭ５、６、１、２、３のデータをアドレス順に読み出しＩＣ５１０へ転送する。
転送されたデータのうち、ＳＲＡＭ１の１ライン目のデータに注目し、そのデータを取り巻く主・副のデータと比較し２値から４値へコード化して次段へ転送する。さらに、２ライン目のデータの処理は、５ライン目をＳＲＡＭ５に転送している間に、ＳＲＡＭ６、１、２、３、４のデータを順に読み出し２ライン目の注目データを主・副と比較し２値から４値へコード化して次段へ転送する。
このようにＳＲＡＭ１〜６を順番にトグルさせて、１ライン分のデータを格納させながら、格納していない他５個のＳＲＡＭをアドレス順に同時に読み出し、注目ラインに対して主・副のマトリクスパターンとして２値から４値へコード化する。
【００１９】
続いて、画像データＲＡＭ部２のＳＲＡＭ５１４Ａ＿１〜５１４Ａ＿３、５１４Ｂ＿１〜５１４Ｂ＿３について説明する。
ＩＣ５１０内にて、４値にコード化された偶数画素（ＥＶＥＮ  ２ビット）、奇数画素（ＯＤＤ  ２ビット）の画像信号を、４画素単位にし、ＳＲＡＭＤＩ［７：０］としてＳＲＡＭアドレス信号ＡＤＲＡ［１０：０］及びＡＤＲＢ［１０：０］により、Ａ群ＳＲＡＭ３個（５１４Ａ＿１〜５１４Ａ＿３）、Ｂ群ＳＲＡＭ３個（５１４Ｂ＿１〜５１４Ｂ＿３）に転送速度８ＭＨｚで格納される。
５０１＿１〜５０３＿３は、総ｄｏｔ数２３０４０ｄｏｔ（Ａ３幅７６８０ｄｏｔ×３本）で画像信号転送が３分割方式のため、主走査１ライン分の画像信号をＡ群のＳＲＡＭ５１４Ａ＿１にＬＥＤヘッド１・５０３＿１の画像信号を、ＳＲＡＭ５１４Ａ＿２にＬＥＤヘッド２・５０３＿２の画像信号を、ＳＲＡＭ５１４Ａ＿３にＬＥＤヘッド３・５０３＿３の画像信号を格納する。
８ＭＨｚでＡ群ＳＲＡＭ３個５１４Ａ＿１〜５１４Ａ＿３に順次格納された画像信号は、次の２ライン目に１６ＭＨｚでＡ群ＳＲＡＭ３個（５１４Ａ＿１〜５１４Ａ＿３）から同時に読み出され、再びＩＣ５１０へ入力され、画像信号を４画素（２ビト＊４画素＝８ビット）から次のアドレスの４画素とラッチさせ８画素の中から、偶数画素４個分を取り出し、画像データ遅延部のフィールドメモリ５１５＿１〜５１５＿３に転送速度８ＭＨｚで送られる。このとき、ＬＥＤヘッド１・５０３＿１は副走査の基準のため遅延動作しない。
【００２０】
ＬＥＤヘッド２・５０３＿２の画像信号はフィールドメモリ５１５＿１へ、ＬＥＤヘッド３・５０３＿３はフィールドメモリ５１５＿３へ転送される。ＳＲＡＭ群からの読み出しは、１ライン間の４回行い、偶数画素分、奇数画素分、さらに２回目の偶数画素、奇数画素を４画素単位に制御させる。
１ライン目のＳＲＡＭからの読み出し制御を行っている間に、次のラインをＢ群のＳＲＡＭ５１４Ｂ＿１〜５１４Ｂ＿３の３個にＡ群と同様に画像信号を格納する。
このリード、ライト動作をＡ郡ＳＲＡＭ３個５１４Ａ＿１〜５１４Ａ＿３、Ｂ郡ＳＲＡＭ３個５１４Ｂ＿１〜５１４Ｂ＿３をトグル動作させることによりライン間の繋ぎを行う。
【００２１】
次に、画像データ遅延部のフィールドメモリ５１５＿１〜５１５＿３について説明する。
（１）ＬＥＤヘッド２・５０３＿２の画像データ遅延部のフィールドメモリ５１５＿１、５１５＿２、Ａ３幅ＬＥＤヘッド５０５＿１〜５０５＿３の３本を千鳥配置しているため、ＬＥＤヘッド１・５０３＿１を基準とし、ＬＥＤヘッド２・５０３＿２はメカレイアウト上、副走査方向に１７．５ｍｍずらして取り付けている。
このため、Ａ郡ＳＲＡＭ３個（５１４Ａ＿１〜５１４Ａ＿３）、Ｂ郡ＳＲＡＭ３個（５１４Ｂ＿１〜５１４Ｂ＿３）から出力された画像信号を同時に処理し、ＬＥＤヘッド２・５０３＿２へ転送すると、ＬＥＤヘッド１・５０３＿１に対してＬＥＤヘッド２・５０３＿２は、副走査方向に１７．５ｍｍ（１７．５ｍｍ／４２．３μｍ（６００ｄｐｉの１ｄｏｔ）＝４１６ライン）ずれて印字してしまう。
【００２２】
このメカ的なずれを補正するため、４ＭＨｚでＡ群ＳＲＡＭ５１４Ａ＿２、Ｂ群ＳＲＡＭ５１４Ｂ＿２から出力されたＬＥＤヘッド２・５０３＿２の画像信号を８画素単位としてフィールドメモリ５１５＿１に転送ライン順に２ＭＨｚで１８０ライン（固定）書き込む。次に、書き込まれた順に２ＭＨｚでフィールドメモリ５１５＿１より画像信号を読み出すと同時に、カスケード接続されたフィールドメモリ５１５＿２に２３６ライン（可変）書き込む。
【００２３】
次に、書き込まれた順に８ＭＨｚでフィールドメモリ５１５＿２より画像信号を読み出し、Ｌ２ＤＦＭＯ［７：０］として、再びＩＣ５１０へ入力する。これによりＬＥＤヘッド２・５０３＿２の画像信号は、４１６ライン遅延されたことになる。遅延させるライン数はＬＥＤヘッド２・５０３＿２の部品制度、組付のバラツキにより個々に異なるため、１ライン（４２．３ｕｍ）単位での制御が可能である。
【００２４】
（２）ＬＥＤヘッド３・５０３＿３画像データ遅延部
Ａ３幅ＬＥＤヘッド（５０３＿１〜５０３＿３）３本を千鳥配置しているため、ＬＥＤヘッド１・５０３＿１を基準とし、ＬＥＤヘッド３・５０３＿３はメカレイアウト上、副走査方向に０．５ｍｍずらして取り付けている。
このため、Ａ郡ＳＲＡＭ３個５１４Ａ＿１〜５１４Ａ＿３、Ｂ郡ＳＲＡＭ３個（５１４Ｂ＿１〜５１４Ｂ＿３）から出力された画像信号を同時に処理し、ＬＥＤヘッド３・５０３＿３へ転送するとＬＥＤヘッド１・５０３＿１に対してＬＥＤヘッド３・５０３＿３は、副走査方向に０．５ｍｍ（０．５ｍｍ／４２．３μｍ（６００ｄｐｉに１ｄｏｔ）＝１２ライン）ずれて印字してしまう。
【００２５】
このメカ的なずれを補正するため、４ＭＨｚでＡ群ＳＲＡＭ５１４Ａ＿３、Ｂ群ＳＲＡＭ３・５１４Ｂ＿３から出力されたＬＥＤヘッド３・５０３＿３の画像信号を８画素単位としてフィールドメモリ５１５＿３に転送ライン順に２ＭＨｚで１２ライン書き込む。
次に、書き込まれた順に２ＭＨｚでフィールドメモリ５１５＿３より画像信号を読み出し、Ｌ３ＤＦＭＯ［７：０］として再びＩＣ５１０へ入力する。これにより、ＬＥＤヘッド３・５０３＿３の画像信号は１２ライン遅延されたことになる。
遅延させるライン数はＬＥＤヘッド３・５０３＿３の部品制度、組付のバラツキにより個々に異なるため、１ライン（４２．３ｕｍ）単位での制御が可能である。
【００２６】
次に、画像データＲＡＭ部２のＳＲＡＭ郡５１４Ａ＿１〜３、５１４Ｂ＿１〜３について説明する。
画像データＲＡＭ部１からのＬＥＤヘッド１の画像データＬ１ＤＩ［７：０］と画像データ遅延部からのＬＥＤヘッド２、３の画像データＬ２ＤＦＭＯ［７：０］、Ｌ３ＤＦＭＯ［７：０］は、ＩＣ５１０を介して画像データＲＡＭ部２のＳＲＡＭ郡５１４Ａ＿１〜３、５１４Ｂ＿１〜３へそれぞれ２ＭＨｚの転送速度で格納される。
格納された画像データは、次のライン間に８ＭＨｚの転送速度で４回読み出される。アドレスはＬＥＤヘッド７６８０ｄｏｔであり８画素単位なので９６０アドレス分となる。この９６０アドレスを４回繰り返す。８画素単位で読み出された画像データは、ＩＣ５１０内で４画素単位にデータ変換され、画像データ出力部５１９に転送される。
また、ＳＲＡＭ群５５０Ａ＿１〜３で読み出されている間、ＳＲＡＭ群５５０Ｂ＿１〜３では次のラインデータを書き込み、交互にラインの書き込み、読出しが行われる。
【００２７】
続いて、画像データ出力部５１９について説明する。
画像データＲＡＭ部２で処理されたＬＥＤヘッド１〜３の４ビット単位の画像データは、ＬＰＨ制御信号とともに出力され、ドライバを介し、各ＬＥＤヘッド５０３＿１〜５０３＿３に８ＭＨｚのスピードで転送される（Ｌ１〜Ｌ３ＣＬＫは４ＭＨｚの立ち上がり、立下りエッジでデータが確定される）。
【００２８】
次に、光量補正ＲＡＭ部５１６について説明する。
ＬＥＤヘッド５０３＿１〜５０３＿３には各ＬＥＤ素子の光量バラツキを補正するためにＬＥＤ素子毎の補正データ及びＬＥＤアレイチップ毎の補正データを各ＬＥＤヘッド内に光量補正ＲＯＭを搭載している。
電源投入時、ＩＣ５１０のＣＰＬＤ制御によりまずＬＥＤヘッド５０３＿１の光量補正データを読出し、シリアル／パラレル変換し、８ビット単位の補正データＨＯＳＥＩＤ［７：０］としてアドレスにより光量補正ＲＡＭ部５１６に格納する。全ての補正データを格納後、今度は、光量補正データＳＲＡＭから読出し、再びＬＥＤヘッド５０３＿１へ転送させる。この動作をＬＥＤヘッド２、３と順に行う。
転送した光量補正データは、ＬＥＤヘッド５０３＿１〜５０３＿３の電源をＯＦＦしない限り、ＬＥＤヘッド５０３＿１〜５０３＿３内部にて補正データが保持される構成となっている。
【００２９】
次に、システム制御装置３０２について説明する。
ＬＥＤ書込制御回路５０２への書き込み条件設定は、システム制御装置３０２からの制御信号入力データバスＬＤＡＴＡ［７：０］、アドレスバスＬＡＤＲ［５：０］、ラッチ信号ＶＤＢＣＳ、Ｐセンサパターン信号ＳＧＡＴＥ＿ＮをＩＣ５１０に入力することにより、制御される。
【００３０】
以上説明してきた、機械全体構成、ＬＥＤ書込制御回路５０２により構成される本実施例の具体的なＬＥＤヘッドへの画像データの転送制御と点灯時間、さらに印字ドット径と画像について以下に記載する。
まず、全体制御を捕らえるため、ＬＥＤヘッドへのデータ転送方式について説明する。
図４には、ＬＥＤヘッドへのデータ転送についてのタイミングを記載してある。ＲＬＳＹＮＣは、主走査１ライン間隔であり、クロックの立ち上がり、立下りエッジにより、画像データを転送する。ＤＡＴＡは４画素単位の画像データである。
転送画像データは、まずＬＥＤヘッド７６８０画素分（３８４０画素＊２）の（１）偶数画素データ：ＥＶＥＮ  ＤＡＴＡを転送する。画素数は、ＬＥＤヘッド全画素７６８０ｄｏｔの半分の３８４０ｄｏｔで４ｄｏｔ同時転送なので、３８４０／４＝９６０カウント分となる。転送後、ＬＯＡＤ信号によりデータをラッチさせる。
【００３１】
次に、（２）奇数画素データ：ＯＤＤ  ＤＡＴＡを転送し、再びＬＯＡＤ信号にてラッチさせる。再度、（３）偶数データ、（４）奇数データ転送しラッチ、印字とデータ転送を２回繰り返す。
点灯信号：ＳＴＲＢは、ＬＯＷアクティブであり、（１）の偶数画素データの印字は、（２）の奇数画素データ転送時にＬＯＷ５にしてＬＥＤ発光し、（２）の奇数画素データの印字では、（３）の偶数画素データ転送時にＬＯＷ６にしてＬＥＤ発光させる。
再度、（３）の偶数画素データに印字は、（４）の奇数画素データ転送時にＬＯＷ７にして印字させ、（４）の奇数画素データの印字はその後ＬＯＷ８で行う。
このとき、ＳＴＲＢ信号はＬＯＷでＬＥＤ発光であり、ＬＯＷの期間を制御することによって画像印字時間を調整、ドットパワーを制御でき画像濃度を均一できる。画像濃度はプロセス条件等により規制されていて、機械条件としては、主走査１ライン間隔の１０％前後のＳＴＲＢ点灯・印字が適性である。１０％とは、コピー線速と画素密度との関係より、計算すると本件では主走査間隔７０５．６ｕｓｅｃであり、その１０％であると７０．５６ｕｓｅｃ点灯期間となる。
さらに、コピアモードでは、データ転送を１回で、点灯信号を１回ずつの制御、つまり、図４のデータ転送（１）→（２）とＳＴＲＢ５、６で５、６は１０％印字をする。本件では、データ転送２回｛（１）（２）で１回目、（３）（４）で２回目｝となり、ＳＴＲＢ信号も５、７でｄｕｔｙ１０％、６、８でｄｕｔｙ１０％をする。この１０％を比率制御で３：１に分配して転送させる。よって、７．５％と２．５％となる。
【００３２】
次に、前記のＤＡＴＡ転送に至るまでの本件におけるデータ処理について図５を参照して説明する。
主走査０〜２３・・・・は１ラインデータであり、副走査１〜５はライン数となりこれが複数ライン分の格納機能部となる。この格納により、主・副のマトリクスパターンが確定できる。
格納されたライン毎のデータより例として、注目ライン副走査３を上げる。注目画素（主走査１）の画素１００は黒でありデータは１である。ここで画素１００と取り巻く主・副の３画素×３画素のマトリクスでみると、画素１００は、斜め線だと判断できる。
主走査方向のみでの判断では、この画素１００は１ｄｏｔ孤立点と判断してしまうが、主・副のマトリクスパターンでは、斜めパターンであるならば、あらかじめ決められたパターンに合てはまるので、４値のコード化では、１１ｂとなる。これにより、斜め線は、データの間引きはしないことで画像を鮮明にできることになる。
【００３３】
上記の方法で、注目ラインの副走査３ライン目の画素を順にマトリクス判断していくと、主走査５の画素１０１では、マトリクスより縦線と判断できる。ここで２値データから４値のコード化に変換する場合、偶数画素か奇数画素かも判断し、縦パターンの奇数と判断すると画素１０１は、０１ｂコードとなる。
さらに画素１０２では、横線の奇数と判断し、１１ｂコードとなり、画素１０３は、０データの奇数で００ｂコード、画素１０４では、１ｄｏｔ孤立点の偶数と判断し、１０ｂコード、画素１０５では、斜め線の偶数と判断し１１ｂコードとなる。
このように、第２の実施例では、注目画素を取り巻く主・副の画素を格納機能から同時に取り出すことで、注目画素のデータを認識でき、１画素単位で忠実に線画を表現できる。
さらに、第３の実施例では、取り囲むマトリクスの画素を３画素×３画素から５画素×５画素にもできるようにし、よりパターンのバリエーションを増すことができるようになっている。このように第３の実施例では、注目画素を取り巻く主・走査の画素のマトリクスは、操作設定可能にさせているので、データパターンを増減でき、より忠実に線画を再現することができる。
【００３４】
第４の実施例では、注目画素を２値から４値へコード化することで、ＬＥＤヘッドへの画像データ変換ができるようにする。よって、第４の実施例では、２値のデータを４値のコード化することで、１画素単位のデータを細分化することができる。
第５の実施例では、第４の実施例において、コード化する画素の識別は、決められたパターンを認識することにより決定する。そのため、１画素単位のデータを細分化でき、縦・横・斜めの線幅の比率を改善することができる。
第６の実施例では、第５の実施例において、決められる主・副走査のパターンは任意に設定可能としている。そのため、使用者のニーズにあった細線を強調することができる。
【００３５】
図５に注目ライン１０６副走査３のパターン認識した画素のコードを表した。変換された画素は、注目画素１０１と注目画素１０４が対象となっている。これはコード化した画素が４画素単位で、図３の画像データＲＡＭ部から読み出され、１ラッチさせて８画素単位とされていて、さらにここから、偶数画素、奇数画素を４画素単位でセレクトしていく。図４で（１）〜（４）のデータ転送順を述べたがこれに合うのが図５（１）〜（４）とした、
図５の（１）と（３）は偶数データであり、注目ライン１０６のコード化画素から偶数のみ選択し、コード化を１ビットのデータに変換させる。（１）では、００ｂ→０、１０→１、１１→１とし、（３）では、００ｂ→０、１１ｂ→１と同様だが、１０ｂ→０とする。
（１）、（３）のＬＰＨＣＬＫ１・１０７、ＬＰＨＣＬＫ２・１０８のデータ値は同様であるが、ＬＰＨＣＬＫ３・１０９では、（１）が１０１０に対して、（３）は１０００となりデータを０にしていることになる。そうすれば点灯信号がＯＮになってもデータが０なので印字しないため、１回目の点灯信号の時間のみとなり線幅を細くすることができる。
【００３６】
また、（２）と（４）は奇数データであり、注目ライン１０６のコード化した画素の奇数のみ選択し、コード化を１ビットのデータに変換すると、０１ｂコードを（２）では０にし、（４）では１にすることでデータ変換する。よって、ＬＰＨＣＬＫ１・１０７の（２）が０００１であり（４）が０１０１となる。
上記のように、ある注目画素を主・副走査パターンからコード化し１ライン間に数回読み出して転送し、データ変換と点灯時間から線を細くすることができるのが第７の実施例である。この第７の実施例では、コード化した画素を、１ライン間の数回の読み出し転送によって、回数毎に４値のコード化から２値のデータへ個々に変換させているので、どのパターンでも細線を忠実に再現することができる。
また、第８の実施例においては、出力するモード、すなわち、コピアモードとプリンタモードに切り分け可能にすることで、コピアモードでの画像処理での画像とプリンタモードでのデータ処理での階調性、線画を忠実に再現できる。本制御はプリンタモードでの制御となる。
【００３７】
続いて、図６を参照して、１ドット十字の印字ドット径と画像について説明する。
まず、偶数画素データ９をｄｕｔｙ７．５％印字し、次に奇数データ１０をｄｕｔｙ２．５％で印字する。ｄｕｔｙ２．５％なので点灯時間が少ないので濃度が薄くなる。
次に、再び偶数画素データ１１をｄｕｔｙ２．５％で印字する。１ｄｏｔ孤立点をパターン認識した場合は、データ０なので印字はしない。最後に奇数画素データ１２をｄｕｔｙ７．５％で印字する。
よって、ドット径は縦線では、データ処理制御によりｄｕｔｙ７．５％のみ印字し、横線では、ｄｕｔｙ２．５％＋７．５％の１０％印字となり、かつエッジ効果で濃度が強調されることになる。上記の印字形式により、画像の縦線幅１３と横線幅１４の比率が改善される。
【００３８】
さらに、図７にて、斜め線の印字ドットと画像について説明する。従来は、主走査方向での１ｄｏｔ孤立点での制御のため斜め線の場合、上記の図６と同様に縦線と認識してしまい偶数画素データなら１回目印字し２回目印字しないでｄｕｔｙ１０％に対して、ｄｕｔｙ７．５％となり濃度が薄くなり、線がかすれ気味になってしまうので、本件により主・副走査パターンにより斜め線の認識により２回とも印字し、ｄｕｔｙ１０％の点灯時間で濃度もコピーと同様になり、いろいろなパターンでの線を忠実に表現できるようになる。
【図面の簡単な説明】
【００３９】
【図１】本発明の一実施例となる複写機の概要を示した図である。
【図２】本発明の一実施例となる複写機のプロセスを示した図である。
【図３】ＬＥＤ書込制御回路の各ブロックを説明した図である。
【図４】ＬＥＤヘッドへのデータ転送を示した図である。
【図５】データ処理の方法を示した図である。
【図６】ドット径と画像（１ｄｏｔ格子）を示した図である。
【図７】ドット径と画像（１ｄｏｔ斜め）を示した図である。
【符号の説明】
【００４０】
１００  読取部
１０１  センサ
１０２  画像増幅回路
１０３  ＡＤ変換回路
１０４  シェーディング補正回路
１０５  画像処理回路
１０６  同期制御回路
１０７  読取制御回路
１０８  スキャナ駆動装置
３００  画像情報記憶部
３０１  画像メモリ部
３０２  システム制御装置
４００  操作部
５００  書込部
５０２  ＬＥＤ書込制御回路
５０３  ＬＥＤヘッド１〜３
５０４  駆動制御回路
５０５  プリンタ駆動装置
５１０  ＩＣ
５１２  画像データ入力部
５１６  光量補正ＲＡＭ部
５１４Ａ  ＳＲＡＭ１〜３
５１４Ｂ  ＳＲＡＭ１〜３
５１９  画像データ出力部
５５０  ＳＲＡＭ１〜ＳＲＡＭ６
【図１】
2007076277.tif 000003
【図２】
2007076277.tif 000004
【図３】
2007076277.tif 000005
【図４】
2007076277.tif 000006
【図５】
2007076277.tif 000007
【図６】
2007076277.tif 000008
【図７】
2007076277.tif 000009